(57)【特許請求の範囲】
【請求項１】
アンテナ導体（14）が、基端から一定の方向に蛇行が進行するように形成された第一のミアンダ部（14ａ）と、この第一のミアンダ部の先端から当該第一のミアンダ部の蛇行幅方向に蛇行が進行するように形成された第二のミアンダ部（14ｂ）とを少なくとも有しており、前記第一のミアンダ部（14ａ）の基端側が給電端子部（16）につながっているアンテナ（10）と、
前記第一のミアンダ部（14ａ）側の前記アンテナ（10）の領域外に、前記第一のミアンダ部（14ａ）の蛇行幅方向に沿って設けられたグランド板（26）とを備え、
前記アンテナ（10）は、第二のミアンダ部（14ｂ）の蛇行幅が第一のミアンダ部（14ａ）の蛇行幅よりも小さく、第二のミアンダ部（14ｂ）のピッチが第一のミアンダ部（14ａ）の蛇行幅よりも小さく、第一のミアンダ部（14ａ）の蛇行幅内に第二のミアンダ部（14ｂ）が複数ピッチ形成され、第一のミアンダ部（14ａ）が第二のミアンダ部（14ｂ）と前記グランド板（26）の縁との間に位置するように回路基板（20）に取り付けられている、
ことを特徴とするアンテナ取付構造。
【請求項２】
アンテナ導体（14）が、基端から一定の方向に蛇行が進行するように形成された第一のミアンダ部（14ａ）と、この第一のミアンダ部の先端から当該第一のミアンダ部の蛇行幅方向に蛇行が進行するように形成された第二のミアンダ部（14ｂ）とを少なくとも有しており、前記第一のミアンダ部（14ａ）の基端側が接地端子部（30）に、中間が給電端子部（16）につながっているアンテナ（10）と、
前記第一のミアンダ部（14ａ）側の前記アンテナ（10）の領域外に前記第一のミアンダ部（14ａ）の蛇行幅方向に沿って設けられたグランド板（26）とを備え、
前記アンテナ（10）は、第二のミアンダ部（14ｂ）の蛇行幅が第一のミアンダ部（14ａ）の蛇行幅よりも小さく、第二のミアンダ部（14ｂ）のピッチが第一のミアンダ部（14ａ）の蛇行幅よりも小さく、第一のミアンダ部（14ａ）の蛇行幅内に第二のミアンダ部（14ｂ）が複数ピッチ形成され、第一のミアンダ部（14ａ）が第二のミアンダ部（14ｂ）と前記グランド板（26）の縁との間に位置するように回路基板（20）に取り付けられている、
ことを特徴とするアンテナ取付構造。
【請求項３】
請求項１又は２記載のアンテナ取付構造であって、前記アンテナ（10）の前記第二のミアンダ部（14ｂ）の線路長は前記第一のミアンダ部（14ａ）の線路長より長いことを特徴とするアンテナ取付構造。
【請求項４】
アンテナ導体（32）が、基端から一定の方向にらせんが進行するように形成された第一のヘリカル部（32ａ）と、この第一のヘリカル部の先端から当該第一のヘリカル部のらせん進行方向と交差する方向にらせんが進行するように形成された第二のヘリカル部（32ｂ）とを少なくとも有しており、前記第一のヘリカル部（32ａ）の基端側が給電端子部（16）につながっているアンテナ（10）と、
前記第一のヘリカル部（32ａ）側の前記アンテナ（10）の領域外に前記第一のヘリカル部（32ａ）のらせん幅方向に沿って設けられたグランド板（26）とを備え、
前記アンテナ（10）は、第二のヘリカル部（32ｂ）のらせん幅が第一のヘリカル部（32ａ）のらせん幅よりも小さく、第二のヘリカル部（32ｂ）のらせんピッチが第一のヘリカル部（32ａ）のらせん幅よりも小さく、第一のヘリカル部（32ａ）のらせん幅内に第二のヘリカル部（32ｂ）が複数ピッチ形成され、第一のヘリカル部（32ａ）が第二のヘリカル部（32ｂ）と前記グランド板（26）の縁との間に位置するように回路基板（20）に取り付けられている、
ことを特徴とするアンテナ取付構造。
【請求項５】
アンテナ導体（32）が、基端から一定の方向にらせんが進行するように形成された第一のヘリカル部（32ａ）と、この第一のヘリカル部の先端から当該第一のヘリカル部のらせん進行方向と交差する方向にらせんが進行するように形成された第二のヘリカル部（32ｂ）とを少なくとも有しており、前記第一のヘリカル部（32ａ）の基端側が接地端子部に、中間が給電端子部につながっているアンテナ（10）と、
前記第一のヘリカル部（32ａ）側の前記アンテナ（10）の領域外に前記第一のヘリカル部（32ａ）のらせん幅方向に沿って設けられたグランド板（26）とを備え、
前記アンテナ（10）は、第二のヘリカル部（32ｂ）のらせん幅が第一のヘリカル部（32ａ）のらせん幅よりも小さく、第二のヘリカル部（32ｂ）のらせんピッチが第一のヘリカル部（32ａ）のらせん幅よりも小さく、第一のヘリカル部（32ａ）のらせん幅内に第二のヘリカル部（32ｂ）が複数ピッチ形成され、第一のヘリカル部（32ａ）が第二のヘリカル部（32ｂ）と前記グランド板（26）の縁との間に位置するように回路基板（20）に取り付けられている、
ことを特徴とするアンテナ取付構造。
【請求項６】
請求項４又は５記載のアンテナ取付構造であって、前記アンテナ（10）の前記第二のヘリカル部（32ｂ）の線路長は前記第一のヘリカル部（32ａ）の線路長より長いことを特徴とするアンテナ取付構造。
【発明の詳細な説明】
【０００１】
【発明の属する技術分野】
本発明は、携帯電話、携帯情報端末や、無線ＬＡＮ（ローカルエリアネットワーク）の端末機器などに使用されるアンテナの取付構造に関するものである。
【０００２】
【従来の技術】
従来、上記の機器などに使用される表面実装型アンテナとしては、誘電体基板表面にアンテナ導体を蛇行状に形成したもの（特開平10-229304号公報）や、誘電体基板内にアンテナ導体をらせん状に形成したもの（特開平10-98322号公報）等が公知である。
【０００３】
【発明が解決しようとする課題】
しかしながら従来の表面実装型アンテナは、アンテナとして十分な性能を発揮させるためには、特開平10-229304号公報の図２にも示されているように、回路基板に実装するときに一定の方向に向けて実装する必要があり、実装方向選択の自由度がせまい。このため１種類のアンテナで複数の機種に対応することが難しく、設計の手間がかかり、コスト高になる。また従来のアンテナは、グランド板の縁からある程度離して実装する必要があり、アンテナの実装に必要な面積が大きくなるという問題もある。
【０００４】
本発明の目的は、以上のような問題点に鑑み、回路基板に実装する際の実装方向選択の自由度が高く、かつ実装に必要な面積を小さくできるアンテナ取付構造を提供することにある。
【０００５】
【課題を解決するための手段】
本発明に係るアンテナ取付構造は、アンテナ導体が、基端から一定の方向に蛇行が進行するように形成された第一のミアンダ部と、この第一のミアンダ部の先端から当該第一のミアンダ部の蛇行幅方向に蛇行が進行するように形成された第二のミアンダ部とを少なくとも有しており、前記第一のミアンダ部の基端側が給電端子部につながっているアンテナと、前記第一のミアンダ部側の前記アンテナの領域外に前記第一のミアンダ部の蛇行幅方向に沿って設けられたグランド板とを備え、前記アンテナは、第二のミアンダ部の蛇行幅が第一のミアンダ部の蛇行幅よりも小さく、第二のミアンダ部のピッチが第一のミアンダ部の蛇行幅よりも小さく、第一のミアンダ部の蛇行幅内に第二のミアンダ部が複数ピッチ形成され、第一のミアンダ部が第二のミアンダ部と前記グランド板の縁との間に位置するように回路基板に取り付けられていることを特徴とするものである。
このような構成で上記の目的を達成できることは、以下に説明する発明の実施の形態及び実施例で詳述する。
【０００６】
本発明に係るアンテナ取付構造は、アンテナ導体が、基端から一定の方向に蛇行が進行するように形成された第一のミアンダ部と、この第一のミアンダ部の先端から当該第一のミアンダ部の蛇行幅方向に蛇行が進行するように形成された第二のミアンダ部とを少なくとも有しており、前記第一のミアンダ部の基端側が接地端子部に、中間が給電端子部につながっているアンテナと、前記第一のミアンダ部側の前記アンテナの領域外に前記第一のミアンダ部の蛇行幅方向に沿って設けられたグランド板とを備え、前記アンテナは、第二のミアンダ部の蛇行幅が第一のミアンダ部の蛇行幅よりも小さく、第二のミアンダ部のピッチが第一のミアンダ部の蛇行幅よりも小さく、第一のミアンダ部の蛇行幅内に第二のミアンダ部が複数ピッチ形成され、第一のミアンダ部が第二のミアンダ部と前記グランド板の縁との間に位置するように回路基板に取り付けられている構成とすることもできる。
【０００８】
また本発明に係るアンテナ取付構造は、アンテナ導体が、基端から一定の方向にらせんが進行するように形成された第一のヘリカル部と、この第一のヘリカル部の先端から当該第一のヘリカル部のらせん進行方向と交差する方向にらせんが進行するように形成された第二のヘリカル部とを少なくとも有しており、前記第一のヘリカル部の基端側が給電端子部につながっているアンテナと、前記第一のヘリカル部側の前記アンテナの領域外に前記第一のヘリカル部のらせん幅方向に沿って設けられたグランド板とを備え、
前記アンテナは、第二のヘリカル部のらせん幅が第一のヘリカル部のらせん幅よりも小さく、第二のヘリカル部のらせんピッチが第一のヘリカル部のらせん幅よりも小さく、第一のヘリカル部のらせん幅内に第二のヘリカル部が複数ピッチ形成され、第一のヘリカル部が第二のヘリカル部と前記グランド板の縁との間に位置するように回路基板に取り付けられている構成とすることもできる。
【０００９】
また本発明に係るアンテナ取付構造は、アンテナ導体が、基端から一定の方向にらせんが進行するように形成された第一のヘリカル部と、この第一のヘリカル部の先端から当該第一のヘリカル部のらせん進行方向と交差する方向にらせんが進行するように形成された第二のヘリカル部とを少なくとも有しており、前記第一のヘリカル部の基端側が接地端子部に、中間が給電端子部につながっているアンテナと、前記第一のヘリカル部側の前記アンテナの領域外に前記第一のヘリカル部のらせん幅方向に沿って設けられたグランド板とを備え、前記アンテナは、第二のヘリカル部のらせん幅が第一のヘリカル部のらせん幅よりも小さく、第二のヘリカル部のらせんピッチが第一のヘリカル部のらせん幅よりも小さく、第一のヘリカル部のらせん幅内に第二のヘリカル部が複数ピッチ形成され、第一のヘリカル部が第二のヘリカル部と前記グランド板の縁との間に位置するように回路基板に取り付けられている構成とすることもできる。
【００１１】
本発明に用いるアンテナのアンテナ導体は、誘電体基板の表面又は内部に設けられることが好ましい。
【００１２】
【発明の実施の形態】
以下、本発明の実施形態を、図面を参照して詳細に説明する。
【００１３】
〔実施形態１〕図１は本発明に用いるアンテナの一実施形態を示す。この表面実装型アンテナ10は、平板状の誘電体基板12と、誘電体基板12の一方の面に設けられたアンテナ導体14と、誘電体基板12の他方の面の、一つの角部に設けられた給電端子部16とを有している。このアンテナは送受信周波数帯の実質的に1/4波長の電気長に形成されている。
【００１４】
アンテナ導体14は、基端（給電端子部16側）から一定の方向（矢印Ａ方向すなわち基板短辺方向）に蛇行が進行するように形成された第一のミアンダ部14ａと、この第一のミアンダ部14ａの先端から当該第一のミアンダ部14ａの蛇行幅方向（矢印Ｂ方向すなわち基板長辺方向）に蛇行が進行するように形成された第二のミアンダ部14ｂとを有している。比帯域を広げるという目的のためには、第二のミアンダ部14ｂは給電端子部16につながる第一のミアンダ部14ａより線路長を長くすることが好ましい。また同目的のためには、第二のミアンダ部14ｂは第一のミアンダ部14ａより蛇行幅が小であることも好ましい。また同目的のためには、第一ミアンダ部14ａのミアンダ幅方向の外側まで、第二ミアンダ部14ｂが延びていることも好ましい。すなわち、第二ミアンダ部14ｂのミアンダのピッチ方向の長さ寸法を、第一ミアンダ部14ａのミアンダの幅方向寸法よりも大として、第二ミアンダ部14ｂの先端位置が、第一ミアンダ部14ａの幅方向の端部よりも外にあるようにするとよい。さらに第一のミアンダ部14ａの基端は誘電体基板12の側面を通って給電端子部16につながっている。第二のミアンダ部14ｂのピッチは第一のミアンダ部14ａの幅寸法よりも小であって、第一のミアンダ部14ａの幅内に第二のミアンダ部14ｂが複数ピッチ形成されていることが望ましい。この例では約5.5ピッチ形成されている。
【００１５】
また誘電体基板12の給電端子部16側の面には、給電端子部16から離れた複数箇所に（図示の例では三つの角部に）固定端子部18が設けられている。この固定端子部18は、表面実装型アンテナ10を回路基板に半田付け等により固定するためのものである。
【００１６】
図２〜図４は上記のように構成されたアンテナ10の回路基板への取付構造を示す。図２〜図４において、回路基板20は、絶縁基板22の片面に給電線24を含む回路パターン（図示省略）を形成し、反対側の面にグランド板26を一体に設けたものである。アンテナ10は、給電端子部16を給電線24の端部に、固定端子部18を回路基板20のランド28に、それぞれ半田付けすることにより回路基板20に実装される。
【００１７】
図２は回路基板20の突出部20ａ（この部分は裏面にグランド板26がない）に、アンテナ10をその長辺がグランド板26の縁26ｈと直交するように取り付けた場合である。これは従来のミアンダアンテナ（蛇行の進行方向が一方向で、誘電体基板の長辺方向に向いているもの）の取付け方と同じである。
【００１８】
図３は本発明に係るアンテナ取付構造の一実施形態を示す。この実施形態は、回路基板20の裏面にグランド板26のない部分を設け、この部分の表側にアンテナ10をその第一のミアンダ部14ａ側の長辺がグランド板26の縁26ｈと一致するように取り付けた場合である。つまり、第一のミアンダ部14ａが第二のミアンダ部14ｂと前記グランド板26の縁との間に位置するように取り付けた場合である。従来のミアンダアンテナは、蛇行の進行方向がグランド板の縁と平行になる向きに取り付るときは、グランド板の縁26ｈからある程度以上離して取り付けないと、アンテナとしての性能を発揮できなかったが、本発明の取付構造では、アンテナ10を図３のような取付け方をしてもアンテナとしての性能を十分に発揮できる。その理由は、第一のミアンダ部14ａは蛇行の進行方向がグランド板26の縁26ｈと直交しており、この第一のミアンダ部14ａの存在により第二のミアンダ部14ｂがグランド板26の縁26ｈから実際よりも電気的に離された状態になるためと考えられる。図３のようにアンテナ10を、その長辺がグランド板の縁26ｈと一致するように取り付ければ、回路基板20を小型化でき、無線機器の小型化を図ることができる。
【００１９】
図４は本発明に係るアンテナ取付構造の他の実施形態を示す。この実施形態は、回路基板20の一つの角部に、アンテナ10と同じ大きさにグランド板26が切り欠かれた部分Ｋを設け、その表側にアンテナ10を取り付けた場合である。従来のミアンダアンテナは、このような取付け方をするときは、グランド板の切欠き部の大きさをアンテナより大きくして、アンテナをグランド板の切欠き部の縁から離すようにしないと、アンテナとしての性能を発揮できなかったが、本発明の取付構造では、アンテナ10をこのような取付け方をしてもアンテナとしての性能を十分に発揮できる。その理由は図３の場合と同様で、第二のミアンダ部14ｂが第一のミアンダ部14ａの存在によりグランド板26の切欠き部Ｋの長辺方向の縁KLから電気的に長距離離された状態となり、かつ第二のミアンダ部14ｂの蛇行進行方向がグランド板26の切欠き部Ｋの短辺方向の縁KSと直交しているからと考えられる。図４のような取付け方をすれば、回路基板20を小型化でき、無線機器の小型化をより進めることができる。
【００２０】
〔実施形態２〕図５は本発明に用いるアンテナの他の実施形態を示す。この表面実装型アンテナ10は、誘電体基板12の、アンテナ導体14を設けた面と反対側の面に、接地端子部30と給電端子部16を第一のミアンダ部14ａの蛇行幅方向に離して設け、第一のミアンダ部14ａの基端を接地端子部30に、中間を給電端子部16に導通させたものである。それ以外の構成は図１のアンテナと同じであるので、同一部分には同一符号を付してある。
【００２１】
接地端子部30は回路基板の接地導体に半田付けされ、給電端子部16は回路基板の給電線に半田付けされる。このように第一のミアンダ部14ａの基端を接地し、中間から給電するようにすると、給電端子部16の分岐位置を変えることによってアンテナ10の入力インピーダンスを調整することができる。すなわち給電端子部16の分岐位置を接地端子部30に近づけると入力インピーダンスは低くなり、接地端子部30から離すと入力インピーダンスは高くなる。通常は50Ωになるように調整される。
【００２２】
〔実施形態３〕図６は本発明に用いるアンテナのさらに他の実施形態を示す。この表面実装型アンテナ10は、図５と同じパターンのアンテナ導体14を誘電体基板12の内部に埋め込んだものである。それ以外の構成は図５と同じであるので、同一部分には同一符号を付してある。
【００２３】
〔実施形態４〕図７は本発明に用いるアンテナのさらに他の実施形態を示す。この表面実装型アンテナ10は、直方体状の誘電体基板12（透明なものとして示した）と、誘電体基板12内に埋め込まれたヘリカル状のアンテナ導体32と、誘電体基板12の底面の、一つの角部に設けられた給電端子部16とを有している。
【００２４】
アンテナ導体32は、前記給電端子部16側の基端から一定の方向（矢印Ａ方向すなわち基板短辺方向）にらせんが進行するように形成された第一のヘリカル部32ａと、この第一のヘリカル部32ａの先端から当該第一のヘリカル部32ａのらせん長径方向（矢印Ｂ方向すなわち基板長辺方向）にらせんが進行するように形成された第二のヘリカル部32ｂとを有している。比帯域を広げるという目的のため、第二のヘリカル部32ｂは第一のヘリカル部32ａより線路長を長くすることが好ましい。また第二のヘリカル部32ｂは第一のヘリカル部32ａよりもらせん径が小径であることが好ましい。第一のヘリカル部32ａの基端は誘電体基板12の側面を通って給電端子部16につながっている。第二のヘリカル部32ｂのピッチは第一のヘリカル部32ａのらせん長径の寸法よりも小さく、第一のヘリカル部32ａのらせん長径の範囲内に第二のヘリカル部32ｂが複数ピッチ形成されている。
【００２５】
また誘電体基板12の給電端子部16側の面には、給電端子部16から離れた複数箇所に（図示の例では三つの角部に）固定端子部18が設けられている。この固定端子部18は、表面実装型アンテナ10を回路基板に半田付け等により固定するためのものである。
【００２６】
このアンテナ10も実施形態１のものと同様に使用することができる。また第一のヘリカル部32ａの基端を接地端子部につなぎ、中間を給電端子部につなぐ構成とすれば、実施形態２と同様にアンテナの入力インピーダンスを調整することができる。
【００２７】
〔その他の実施形態〕以上の実施形態ではアンテナ導体が蛇行進行方向の異なる二つのミアンダ部（第一のミアンダ部と第二のミアンダ部）を有する場合を説明したが、本発明はこれに限られるものではなく、蛇行進行方向の異なる三つ以上のミアンダ部を有するもの（例えば第二のミアンダ部の先端に第二のミアンダ部と蛇行進行方向の異なる第三のミアンダ部を設けたもの）であってもよい。要するに少なくとも第一のミアンダ部と第二のミアンダ部を有するものであればよい。アンテナ導体がヘリカル状の場合も同様である。
【００２８】
【実施例】
〔実施例１〕図８のようなアンテナを試作した。アンテナ導体14のパターンは図５の実施形態と同様である。図５の実施形態と異なる点は第二のミアンダ部14ｂの先端に容量付加部14ｃを設けたことと、二つの固定端子部18が第二のミアンダ部14ｂ及び容量付加部14ｃにつながるように形成されていることである。容量付加部14ｃはアンテナ導体14の線路長を短くするために設けたものである。図８（Ａ）では給電端子部16、接地端子部30及び固定端子部18を展開した形で示してあるが、これらの端子部は、実際には同図（Ｂ）のように誘電体基板12の底面側に折り返されている。
【００２９】
このアンテナは2.45GHz帯ブルートゥース用で、大きさ（誘電体基板12のサイズ）は、８×３×0.4（mm）である。アンテナ導体14の導体幅及び導体間隔は0.2（mm）である。誘電体基板12の材質は誘電率20のセラミックス−プラスチック複合材料である。
試作したアンテナ10を、グランド板との位置関係が図９（Ａ）〜（Ｄ）になるように回路基板に実装し、アンテナの性能を測定した。その結果を表１に示す。
【００３０】
【表１】
0003824900.tif 000002
【００３１】
2.45GHz帯ブルートゥース用のアンテナは、83.5MHz以上の帯域幅が要求されるが、表１によれば、本発明のアンテナは図9（Ａ）〜（Ｄ）のような種々の取付け方をしても、この要求を十分満たすことが明らかである。なお、ここで帯域幅とはＶＳＷＲ＜２を満たす周波数範囲をいう。
【００３２】
従来のアンテナは、例えば図９（Ｃ）のようにグランド板26の縁に対し横向きに取り付ける場合には、Yujiro Dakeya et al,“Chip Multilayer Antenna for 2.45GHz-Band Application Using LTCC Technology”2000 IEEE MTT-S International Microwave Symposium Digest (Boston Massachusetts 11-16 June 2000)の図４によれば、83.5MHz以上の帯域幅を得るためには、アンテナをグランド板の縁から約３mm以上離して取り付けなければならないが、本発明のアンテナはグランド板の縁からの距離をゼロにしても115MHzの帯域幅を得ることができる。
【００３３】
また従来のアンテナは、例えば図９（Ｄ）のように回路基板の角部に出っ張らないように取り付ける場合には、特開平10-229304号公報によると、グランド板の角部の切欠き部の大きさを、切欠き部の短辺とアンテナとの距離が２mm以上、切欠き部の長辺とアンテナとの距離が５mm以上になるようにすることが好ましいとされているが、本発明のアンテナは、グランド板の切欠き部の縁とアンテナとの距離をゼロにしても（グランド板の切欠き部の大きさをアンテナと同じにしても）、アンテナとしての性能を十分に発揮できる。
【００３４】
〔実施例２〕  図１０のようなアンテナを試作した。このアンテナは送受信信号の周波数帯の実質的に1/4波長の電気長に形成されている。図８の実施例と異なる点は、第一に、アンテナ導体14の第一ミアンダ部14ａの基端に、延長部分14ｄを連設し、この部分を、第一ミアンダ部14ａのピッチ方向（蛇行進行方向）に向くようにＬ字状に曲げた点である。上記延長部分14ｄは第二ミアンダ部14ｂが配置されている側に延びている。図８の実施例と異なる点の第二は、二つの固定端子18が第一のミアンダ部14ａ及び容量付加部14ｃにそれぞれつながるように形成されていることであり、第三は、端子部16、18、30が図１０（Ｂ）のように誘電体基板12の底面と同一平面上で外側に折り曲げられていることである。第四は、容量付加部14ｃを長方形に形成した点である。このように容量付加部14ｃが長方形であっても、第一ミアンダ部14ａのミアンダの幅方向の外側まで第二ミアンダ部14ｂが延長されているので、容量付加部14ｃの中央に第二ミアンダ部14ｂを接続でき、容量付加部14ｃとしての機能が適正に発揮される。
【００３５】
このような形態をとっても、図９（Ａ）〜（Ｄ）のような種々の取り付け方をした場合に、アンテナとしての性能を十分に発揮することができる。中でも図１０（Ａ）に二点鎖線で示すようにグランド板26の切欠き部Ｋに、このアンテナを配置した場合は、グランド板26の影響をより一層低減でき、基板をより小型化できる。すなわち、前述したようにミアンダアンテナの蛇行の進行方向がグランド板の縁と平行のときは、一般にグランド板の縁からの距離を大にする必要があるが、このアンテナでは第二ミアンダ部14ｂへのグランド板26の影響は第一ミアンダ部14ａが緩和し、第一ミアンダ部14ａに対するグランド板26の影響は、アンテナ導体14のＬ字状に曲げられた延長部分14ｄによって緩和されるので、グランド板26の縁KL、KSからの距離を短くしてもアンテナとしての性能を十分に発揮できる。なおこの例では固定端子18、30を給電端子として利用してもよい。
【００３６】
【発明の効果】
以上説明したように本発明によれば、回路基板にアンテナを実装するときの、グランド板に対するアンテナの向きの自由度が広くなるので、一種類のアンテナで複数の機種に対応することができる。このため量産性が高まり、コスト低減を図ることができる。またグランド板の縁に接近して設置できるため、アンテナの実装に必要な面積を小さくでき、無線機器の小型化に有効である。
【図面の簡単な説明】
【図１】本発明に用いる表面実装型アンテナの一実施形態を示す斜視図。
【図２】図1のアンテナの回路基板への取付け方の一例を示す、（Ａ）は平面図、（Ｂ）は側面図、（Ｃ）は底面図。
【図３】図１のアンテナを用いた本発明のアンテナ取付構造の一実施形態を示す、（Ａ）は平面図、（Ｂ）は側面図、（Ｃ）は底面図。
【図４】同じく、他の実施形態を示す、（Ａ）は平面図、（Ｂ）は側面図、（Ｃ）は底面図。
【図５】本発明に用いるアンテナの他の実施形態を示す斜視図。
【図６】本発明に用いるアンテナのさらに他の実施形態を示す斜視図。
【図７】本発明に用いるアンテナのさらに他の実施形態を示す斜視図。
【図８】本発明に用いるアンテナの試作例を示す、（Ａ）は平面展開図、（Ｂ）は正面図。
【図９】（Ａ）〜（Ｄ）はそれぞれ、図8のアンテナの回路基板への取付構造を示す平面図。
【図１０】本発明に用いるアンテナの他の試作例を示す、（Ａ）は平面展開図、（Ｂ）は側面図。
【図１】
0003824900.tif 000003
【図２】
0003824900.tif 000004
【図３】
0003824900.tif 000005
【図４】
0003824900.tif 000006
【図５】
0003824900.tif 000007
【図６】
0003824900.tif 000008
【図７】
0003824900.tif 000009
【図８】
0003824900.tif 000010
【図９】
0003824900.tif 000011
【図１０】
0003824900.tif 000012